(57)【要約】  未加工のワーク（Ｗ）のセット数を増加可能なワーク加工システム（１）を提供することを課題とする。  ワーク加工システム（１）は、ワーク（Ｗ）に所定の加工を施す少なくとも一つの工作機械（３）と、工作機械（３）を挟む位置に配置され、ワーク（Ｗ）の加工前において、各々、未加工のワーク（Ｗ）を保有する複数のワークストッカ（４Ｌ、４Ｒ）と、ワークストッカ（４Ｌ、４Ｒ）と工作機械（３）との間でワーク（Ｗ）を搬送可能なワーク搬送装置（２）と、を備えることを特徴とする。
2014188600.tif 000002
【特許請求の範囲】
【請求項１】
ワークに所定の加工を施す少なくとも一つの工作機械と、
該工作機械を挟む位置に配置され、該ワークの加工前において、各々、未加工の該ワークを保有する複数のワークストッカと、
該ワークストッカと該工作機械との間で該ワークを搬送可能なワーク搬送装置と、
を備えるワーク加工システム。
【請求項２】
複数の前記ワークストッカは、前記ワークの加工後において、各々、加工済みの該ワークを保有する請求項１に記載のワーク加工システム。
【請求項３】
前記ワークストッカは、複数のワーク配置部を有し、
該ワーク配置部は、少なくとも一つの前記ワークを配置可能であり、
該ワークの加工前において、少なくとも一つの該ワーク配置部には、該ワークが配置されていない請求項１または請求項２に記載のワーク加工システム。
【請求項４】
通常モードと、自動モードと、に切り替え可能であり、
該通常モードの前記ワークの加工前において、複数の前記ワークストッカのうち、前記工作機械に対して一方向側の該ワークストッカは、未加工の該ワークを保有し、該工作機械に対して他方向側の該ワークストッカは、未加工の該ワークを保有せず、
該自動モードの該ワークの加工前において、複数の該ワークストッカは、各々、未加工の該ワークを保有する請求項１ないし請求項３のいずれかに記載のワーク加工システム。
【発明の詳細な説明】
【技術分野】
【０００１】
本発明は、ワークに所定の加工を施すワーク加工システムに関する。
【背景技術】
【０００２】
特許文献１には、レーザ加工装置が開示されている。同文献の［図１］に示すように、ワークは、搬入側ストッカ→レーザ加工機→搬出側ストッカの順に、搬送される。また、特許文献２には、サンプル研磨装置が開示されている。同文献の［図２］に示すように、サンプルは、供給側ストッカ→二つの研磨機→回収側ストッカの順に、搬送される。このように、特許文献１、２には、加工時に、一方通行で、ワーク（サンプル）が搬送される装置が開示されている。【０００３】
マシニングセンタでワークを加工する場合も、同様に、一方通行で、ワークは搬送される。すなわち、未加工のワークは、ワーク搬送ロボットを介して、供給ストッカからマシニングセンタに供給される。一方、加工済みのワークは、ワーク搬送ロボットを介して、マシニングセンタから排出ストッカに排出される。このように、ワークは、ワーク搬送ロボットにより、供給ストッカ→マシニングセンタ→排出ストッカの順に、搬送される。
【先行技術文献】
【特許文献】
【０００４】
【特許文献１】特開２０１２−２３２３１３号公報
【特許文献２】特開平１０−２１７１１６号公報
【発明の概要】
【発明が解決しようとする課題】
【０００５】
マシニングセンタを無人運転する場合、供給ストッカにセットされたワークは、自動的にマシニングセンタに搬送され、マシニングセンタにおいて加工され、排出ストッカに排出される。このため、無人運転時のワークの加工数は、供給ストッカにセットされたワーク数に限られてしまう。したがって、無人運転時にセットした未加工のワークの加工が完了し、改めて未加工のワークを供給ストッカにセットし、かつ加工済みのワークを排出ストッカから取り出し、マシニングセンタを再稼働するまでの間、ワークの生産は停止してしまう。よって、供給ストッカにセット可能なワーク数が少ない場合、ダウンタイムが長くなってしまう。【０００６】
そこで、本発明は、未加工のワークのセット数を増加可能なワーク加工システムを提供することを目的とする。
【課題を解決するための手段】
【０００７】
（１）上記課題を解決するため、本発明のワーク加工システムは、ワークに所定の加工を施す少なくとも一つの工作機械と、該工作機械を挟む位置に配置され、該ワークの加工前において、各々、未加工の該ワークを保有する複数のワークストッカと、該ワークストッカと該工作機械との間で該ワークを搬送可能なワーク搬送装置と、を備えることを特徴とする。【０００８】
本発明のワーク加工システムによると、複数のワークストッカを、各々、未加工ワーク供給用として用いることができる。このため、単一のワークストッカに未加工のワークをフルセットした場合と比較して、未加工のワークのセット数を増加させることができる。したがって、単一のワークストッカだけを未加工ワーク供給用として用いる場合と比較して、ワークの生産数（加工数）を増加させることができる。よって、ワークの生産性が低下しにくい。【０００９】
（２）好ましくは、上記（１）の構成において、複数の前記ワークストッカは、前記ワークの加工後において、各々、加工済みの該ワークを保有する構成とする方がよい。本構成によると、複数のワークストッカを、各々、加工済みワーク排出用として用いることができる。このため、単一のワークストッカに加工済みのワークをフルセットした場合と比較して、加工済みのワークのセット数を増加させることができる。したがって、単一のワークストッカだけを加工済みワーク排出用として用いる場合と比較して、ワークの生産数（加工数）を増加させることができる。よって、ワークの生産性が低下しにくい。【００１０】
（３）好ましくは、上記（１）または（２）の構成において、前記ワークストッカは、複数のワーク配置部を有し、該ワーク配置部は、少なくとも一つの前記ワークを配置可能であり、該ワークの加工前において、少なくとも一つの該ワーク配置部には、該ワークが配置されていない構成とする方がよい。本構成によると、ワークの加工に伴って、ワークを、ワーク配置中のワーク配置部から空のワーク配置部に、移し替えることができる。【００１１】
（４）好ましくは、上記（１）ないし（３）のいずれかの構成において、通常モードと、自動モードと、に切り替え可能であり、該通常モードの前記ワークの加工前において、複数の前記ワークストッカのうち、前記工作機械に対して一方向側の該ワークストッカは、未加工の該ワークを保有し、該工作機械に対して他方向側の該ワークストッカは、未加工の該ワークを保有せず、該自動モードの該ワークの加工前において、複数の該ワークストッカは、各々、未加工の該ワークを保有する構成とする方がよい。【００１２】
ここで、「通常モード」とは、例えば、未加工のワークを補充可能な有人運転時などに実行されるモードをいう。通常モードは、例えば、作業者の勤務時間内、作業時間内などに実行される。【００１３】
また、「自動モード」とは、例えば、未加工のワークを補充不可能な無人運転時などに実行されるモードをいう。自動モードは、例えば、作業者の勤務時間外、休憩時間内などに実行される。【００１４】
本構成によると、通常モードにおいては、上流側のワークストッカ→工作機械→下流側のワークストッカの順に、一方通行で、ワークを搬送することができる。これに対して、自動モードにおいては、ワークの搬送方向は限定されない。このため、複数のワークストッカを、各々、未加工ワーク供給用として用いることができる。したがって、単一のワークストッカに未加工のワークをフルセットした場合と比較して、未加工のワークのセット数を増加させることができる。すなわち、自動モードにおいて単一のワークストッカだけを未加工ワーク供給用として用いる場合と比較して、ワークの生産数（加工数）を増加させることができる。よって、自動モードにおけるワークの生産性が低下しにくい。
【発明の効果】
【００１５】
本発明によると、未加工のワークのセット数を増加可能なワーク加工システムを提供することができる。
【図面の簡単な説明】
【００１６】
【図１】図１は、本発明のワーク加工システムの一実施形態となるワーク加工システムの斜視図である。
【図２】図２は、同ワーク加工システムの前面図である。
【図３】図３は、同ワーク加工システムの上面図である。
【図４】図４は、同ワーク加工システムのブロック図である。
【図５】図５は、同ワーク加工システムの通常モード第一段階の前面図である。
【図６】図６は、同通常モード第二段階の前面図である。
【図７】図７は、同通常モード第三段階の前面図である。
【図８】図８は、同通常モード第四段階の前面図である。
【図９】図９は、同通常モード第五段階の前面図である。
【図１０】図１０は、同通常モード第六段階の前面図である。
【図１１】図１１は、同ワーク加工システムの自動モード第六段階の前面図である。
【図１２】図１２は、同ワーク加工システムの自動モードにおける加工模式図である。
【符号の説明】
【００１７】
１：ワーク加工システム。
２：ワーク搬送装置、２０：搬送ロボット、２００：走行軸スライド、２０１：Ｙ軸伸縮アーム、２０２：ロボットアーム、２０３：ロボットチャック、２０４：本体、２１：ロボット走行台、２２：支柱、２４：ロボットアーム上下軸モータ、２５：ロボット走行用モータ、２６：ロボットチャック旋回用モータ。
３：マシニングセンタ（工作機械）、３０：ベッド、３１：主軸台、３１０：Ｘ軸下スライド、３１１：Ｘ軸スライド、３１２：本体、３１３：主軸チャック、３１４：Ｘ軸モータ、３１５：回転モータ、３２：工具軸側スライド、３２０：Ｚ軸下スライド、３２１：Ｚ軸スライド、３２２：コラム、３２３：Ｙ軸下スライド、３２４：Ｙ軸スライド、３２５：Ｙ軸モータ、３２６：Ｚ軸モータ、３２７：工具軸、３３：制御装置、３３０：コンピュータ、３３０ａ：入出力インターフェイス、３３０ｂ：演算部、３３０ｃ：記憶部、３４：入力装置。
４Ｌ：ワークストッカ、４Ｒ：ワークストッカ、４０：走行台、４１：基板、４２：昇降板、４３：シャフト、４６：昇降装置、４６０：シリンダ、４６１：被ガイド部材、４６２：ガイドレール、４６３：連結部材、４６４：フォーク、４７：移動装置、４７０：スプロケット、４７１：チェーン、４７２：移動用モータ。
Ａ１〜Ａ１０：位置、Ｂ１〜Ｂ１０：ワーク配置部、Ｌ：軌道、Ｔ：工具、Ｗ：ワーク、Ｗ１〜Ｗ３：ワーク。
【発明を実施するための形態】
【００１８】
以下、本発明のワーク加工システムの実施の形態について説明する。
【００１９】
＜ワーク加工システムの構成＞
まず、本実施形態のワーク加工システムの構成について説明する。図１に、本実施形態のワーク加工システムの斜視図を示す。図２に、同ワーク加工システムの前面図を示す。図３に、同ワーク加工システムの上面図を示す。図４に、同ワーク加工システムのブロック図を示す。図１〜図４に示すように、本実施形態のワーク加工システム１は、ワーク搬送装置２と、マシニングセンタ３と、２台のワークストッカ４Ｌ、４Ｒと、を備えている。マシニングセンタ３は、本発明の「工作機械」の概念に含まれる。
【００２０】
［マシニングセンタ３］
マシニングセンタ３は、ベッド３０と、主軸台３１と、工具軸側スライド３２と、制御装置３３と、を備えている。
【００２１】
（ベッド３０、主軸台３１）
ベッド３０は、工場の床面に配置されている。主軸台３１は、ベッド３０の上面の左部分に配置されている。主軸台３１は、Ｘ軸（前後方向）下スライド３１０と、Ｘ軸スライド３１１と、本体３１２と、主軸チャック３１３と、Ｘ軸モータ３１４と、回転モータ３１５と、を備えている。
【００２２】
Ｘ軸下スライド３１０は、ベッド３０の上面に配置されている。Ｘ軸下スライド３１０は、前後方向に延在している。Ｘ軸スライド３１１は、Ｘ軸下スライド３１０に、前後方向に移動可能に取り付けられている。Ｘ軸モータ３１４は、Ｘ軸スライド３１１を駆動する。本体３１２は、Ｘ軸スライド３１１に取り付けられている。主軸チャック３１３は、いわゆる三つ爪チャックである。なお、三つ爪チャックの構成は、特開平１１−３００５６８号公報、実公平４−３２１９７号公報などに開示されている。主軸チャック３１３は、ワーク保持軸（図略）に固定されている。ワーク保持軸は、左右方向（Ｚ軸方向）に延在している。回転モータ３１５は、ワーク保持軸を軸周りに回転させる。主軸チャック３１３は、円筒状のワークＷを、三つの爪部材（図略）により、把持、解放可能である。ワークＷおよび主軸チャック３１３がワーク保持軸と共に軸周りに回転することにより、ワークＷの加工角度（例えば、３０°、４５°など）の割り出しが行われる。
【００２３】
（工具軸側スライド３２）
工具軸側スライド３２は、ベッド３０の上面の右部分に配置されている。工具軸側スライド３２は、Ｚ軸下スライド３２０と、Ｚ軸スライド３２１と、コラム３２２と、Ｙ軸（上下方向）下スライド３２３と、Ｙ軸スライド３２４と、Ｙ軸モータ３２５と、Ｚ軸モータ３２６と、工具軸３２７と、を備えている。
【００２４】
Ｚ軸下スライド３２０は、ベッド３０の上面に配置されている。Ｚ軸下スライド３２０は、左右方向に延在している。Ｚ軸スライド３２１は、Ｚ軸下スライド３２０に、左右方向に移動可能に取り付けられている。Ｚ軸モータ３２６は、Ｚ軸スライド３２１を駆動する。コラム３２２は、Ｚ軸スライド３２１に取り付けられている。Ｙ軸下スライド３２３は、コラム３２２の左面に配置されている。Ｙ軸下スライド３２３は、上下方向に延在している。Ｙ軸スライド３２４は、Ｙ軸下スライド３２３に、上下方向に移動可能に取り付けられている。Ｙ軸モータ３２５は、Ｙ軸スライド３２４を駆動する。工具軸３２７には、工具Ｔが交換可能に取り付けられている。
【００２５】
（制御装置３３、入力装置３４）
制御装置３３は、コンピュータ３３０と、複数の駆動回路と、を備えている。コンピュータ３３０は、入出力インターフェイス３３０ａと、演算部３３０ｂと、記憶部３３０ｃと、を備えている。入出力インターフェイス３３０ａは、駆動回路を介して、主軸台３１のＸ軸モータ３１４、回転モータ３１５、工具軸側スライド３２のＹ軸モータ３２５、Ｚ軸モータ３２６、後述するワーク搬送装置２のロボットアーム上下軸モータ２４、ロボット走行用モータ２５、ロボットチャック旋回用モータ２６、後述する２台のワークストッカ４Ｌ、４Ｒのシリンダ４６０、移動用モータ４７２に接続されている。また、入出力インターフェイス３３０ａは、入力装置３４に接続されている。
【００２６】
［ワーク搬送装置２］
ワーク搬送装置２は、いわゆるガントリローダである。ワーク搬送装置２は、搬送ロボット２０と、ロボット走行台２１と、一対の支柱２２と、ロボットアーム上下軸モータ２４と、ロボット走行用モータ２５と、ロボットチャック旋回用モータ２６と、を備えている。
【００２７】
（一対の支柱２２、ロボット走行台２１）
左右一対の支柱２２のうち、左側の支柱２２はベッド３０の左面に固定されている。左側の支柱２２は、上下方向に延在している。右側の支柱２２はベッド３０の右面に固定されている。右側の支柱２２は、上下方向に延在している。ロボット走行台２１は、左右一対の支柱２２上端間に架設されている。ロボット走行台２１は、左右方向に延在している。
【００２８】
（搬送ロボット２０、ロボットアーム上下軸モータ２４、ロボット走行用モータ２５、ロボットチャック旋回用モータ２６）
搬送ロボット２０は、走行軸スライド２００と、Ｙ軸伸縮アーム２０１と、ロボットアーム２０２と、一対のロボットチャック２０３と、本体２０４と、を備えている。走行軸スライド２００は、ロボット走行台２１に、左右方向に移動可能に取り付けられている。ロボット走行用モータ２５は、走行軸スライド２００を駆動する。本体２０４は、走行軸スライド２００に固定されている。Ｙ軸伸縮アーム２０１は、本体２０４に対して、下方に伸縮可能である。ロボットアーム上下軸モータ２４は、Ｙ軸伸縮アーム２０１を駆動する。ロボットアーム２０２は、Ｙ軸伸縮アーム２０１の下端から、後方に突出している。ロボットアーム２０２は、軸周りに回転可能である。ロボットチャック旋回用モータ２６は、ロボットアーム２０２を駆動する。一対のロボットチャック２０３は、ロボットアーム２０２の後端に取り付けられている。一対のロボットチャック２０３は、共に、いわゆる三つ爪チャックである。
【００２９】
［ワークストッカ４Ｌ、４Ｒ］
次に、ワークストッカ４Ｌ、４Ｒの構成について説明する。ワークストッカ４Ｌは、マシニングセンタ３の左側に配置されている。ワークストッカ４Ｒは、マシニングセンタ３の右側に配置されている。
【００３０】
ワークストッカ４Ｌの構成と、ワークストッカ４Ｒの構成と、は同様である。ワークストッカ４Ｌの配置と、ワークストッカ４Ｒの配置と、は左右対称である。ワークストッカ４Ｌは、走行台４０と、合計１０個のワーク配置部Ｂ１〜Ｂ１０と、昇降装置４６と、移動装置４７と、を備えている。
【００３１】
（移動装置４７）
移動装置４７は、前後一対のスプロケット４７０と、チェーン４７１と、移動用モータ４７２と、を備えている。前後一対のスプロケット４７０は、走行台４０の上面に配置されている。チェーン４７１は、前後一対のスプロケット４７０間に張設されている。移動用モータ４７２は、片方のスプロケット４７０を駆動している。
【００３２】
（昇降装置４６）
昇降装置４６は、シリンダ４６０と、被ガイド部材４６１と、ガイドレール４６２と、連結部材４６３と、フォーク４６４と、を備えている。ガイドレール４６２は、走行台４０の前面に配置されている。ガイドレール４６２は、上下方向に延在している。被ガイド部材４６１は、ガイドレール４６２に、上下方向に移動可能に取り付けられている。シリンダ４６０のロッドは、被ガイド部材４６１の一端に取り付けられている。一方、被ガイド部材４６１の他端には、連結部材４６３を介して、フォーク４６４が取り付けられている。シリンダ４６０を駆動することにより、フォーク４６４を上下方向に移動させることができる。
【００３３】
（ワーク配置部Ｂ１〜Ｂ１０）
ワーク配置部Ｂ１〜Ｂ１０は、移動装置４７のチェーン４７１に、所定間隔ずつ離間して、取り付けられている。移動用モータ４７２を駆動することにより、図３に示す長円状の軌道Ｌに沿って、ワーク配置部Ｂ１〜Ｂ１０を移動させることができる。ワーク配置部Ｂ１〜Ｂ１０には、各々、最大３段、上下方向にワークＷを積み重ねることができる。走行台４０には、位置Ａ１〜Ａ１０が割り当てられている。ワーク配置部Ｂ１〜Ｂ１０は、隣り合う位置Ａ１〜Ａ１０間の間隔に対応するピッチずつ、段階的に移動する。図２、図３にハッチングで示すように、位置Ａ１の最上段（下から数えて３段目）は、ワークＷの供給−排出位置である。後述する自動モードにおいて、未加工のワークＷは、位置Ａ１の最上段から、マシニングセンタ３に搬出される。一方、加工済みのワークＷは、位置Ａ１の最上段から、ワークストッカ４Ｌに搬入される。
【００３４】
ワーク配置部Ｂ１〜Ｂ１０の構成は同様である。ワーク配置部Ｂ１は、基板４１と、昇降板４２と、３本のシャフト４３と、を備えている。基板４１は、チェーン４７１に固定されている。基板４１の下面には、３つのキャスタ（図略）が配置されている。基板４１は、走行台４０の上面を、軌道Ｌに沿って走行可能である。３本のシャフト４３は、基板４１の上面から突設されている。昇降板４２は、基板４１の上側に配置されている。位置Ａ１において、昇降板４２は、昇降装置４６のフォーク４６４により、上下方向に移動可能である。３本のシャフト４３は、昇降板４２を貫通している。ワークＷは、昇降板４２の上側に積層されている。３本のシャフト４３は、ワークＷを、径方向外側から保持している。ワークＷの外径に応じて、３本のシャフト４３の径方向位置は、調整可能である。
【００３５】
＜通常モード＞
次に、本実施形態のワーク加工システムの通常モードの動きについて説明する。図５に、本実施形態のワーク加工システムの通常モード第一段階の前面図を示す。図６に、同通常モード第二段階の前面図を示す。図７に、同通常モード第三段階の前面図を示す。図８に、同通常モード第四段階の前面図を示す。図９に、同通常モード第五段階の前面図を示す。図１０に、同通常モード第六段階の前面図を示す。なお、図５〜図１０においては、加工済みのワークＷ１〜Ｗ３にハッチングを施す。
【００３６】
図５〜図１０に示すように、通常モードにおいては、左側のワークストッカ４Ｌ→マシニングセンタ３→右側のワークストッカ４Ｒの順に、ワークＷ１〜Ｗ３が搬送される。すなわち、ワークＷ１〜Ｗ３の加工前において、左側のワークストッカ４Ｌには、未加工のワークＷ１〜Ｗ３が満載されている。一方、ワークＷ１〜Ｗ３の加工前において、右側のワークストッカ４Ｒは空である。
【００３７】
作業者は、図４に示す入力装置３４を介して、制御装置３３に、通常モードを実行する旨の指示を出す。まず、制御装置３３は、ワーク搬送装置２のロボット走行用モータ２５、ロボットアーム上下軸モータ２４、ロボットチャック旋回用モータ２６を適宜駆動する。そして、図５に示すように、ロボットチャック２０３を、左側のワークストッカ４Ｌの位置Ａ１（つまりワーク配置部Ｂ１）の真上まで移動させる。制御装置３３は、ロボットチャック２０３により、ワーク配置部Ｂ１の最上段の未加工のワークＷ１を把持する。
【００３８】
次に、制御装置３３は、ワーク搬送装置２のロボット走行用モータ２５、ロボットアーム上下軸モータ２４、ロボットチャック旋回用モータ２６を適宜駆動する。そして、図６に矢印Ｙ１〜Ｙ３で示すように、未加工のワークＷ１を、ロボットチャック２０３から主軸チャック３１３に、移し替える。
【００３９】
続いて、制御装置３３は、主軸台３１のＸ軸モータ３１４、回転モータ３１５、工具軸側スライド３２のＹ軸モータ３２５、Ｚ軸モータ３２６を適宜駆動する。そして、図７に示すように、工具Ｔを用いて、未加工のワークＷ１に所定の加工を施す。
【００４０】
ワークＷ１の加工と並行して、制御装置３３は、ワーク搬送装置２のロボット走行用モータ２５、ロボットアーム上下軸モータ２４、ロボットチャック旋回用モータ２６を適宜駆動する。そして、図７に矢印Ｙ４〜Ｙ６で示すように、ロボットチャック２０３を、左側のワークストッカ４Ｌの位置Ａ１（つまりワーク配置部Ｂ１）の真上まで移動させる。また、制御装置３３は、左側のワークストッカ４Ｌの昇降装置４６のシリンダ４６０を駆動する。そして、図７に矢印Ｙ７で示すように、ワーク配置部Ｂ１の未加工のワークＷ２を、所定の高度まで、持ち上げる。制御装置３３は、ロボットチャック２０３により、未加工のワークＷ２を把持する。
【００４１】
それから、制御装置３３は、ワーク搬送装置２のロボット走行用モータ２５、ロボットアーム上下軸モータ２４、ロボットチャック旋回用モータ２６を適宜駆動する。そして、図８に矢印Ｙ８〜Ｙ１０で示すように、加工済みのワークＷ１を、主軸チャック３１３からロボットチャック２０３（ワークＷ２を把持していない方のロボットチャック２０３）に、移し替える。続いて、制御装置３３は、ロボットチャック旋回用モータ２６、ロボット走行用モータ２５を適宜駆動する。そして、図９に示すように、未加工のワークＷ２を、ロボットチャック２０３から主軸チャック３１３に、移し替える。
【００４２】
その後、制御装置３３は、主軸台３１のＸ軸モータ３１４、回転モータ３１５、工具軸側スライド３２のＹ軸モータ３２５、Ｚ軸モータ３２６を適宜駆動する。そして、図１０に示すように、工具Ｔを用いて、未加工のワークＷ２に所定の加工を施す。
【００４３】
ワークＷ２の加工と並行して、制御装置３３は、ワーク搬送装置２のロボット走行用モータ２５、ロボットアーム上下軸モータ２４、ロボットチャック旋回用モータ２６を適宜駆動する。そして、図１０に矢印Ｙ１１〜Ｙ１３で示すように、ロボットチャック２０３を、右側のワークストッカ４Ｒの位置Ａ１（つまりワーク配置部Ｂ１）の真上まで移動させる。また、制御装置３３は、右側のワークストッカ４Ｒの昇降装置４６のシリンダ４６０を駆動する。そして、図１０に矢印Ｙ１４で示すように、ワーク配置部Ｂ１の昇降板４２を、所定の高度まで、持ち上げる。制御装置３３は、ロボットチャック２０３により、加工済みのワークＷ１を昇降板４２の上面に載置する。それから、制御装置３３は、図７に示すように、ワーク搬送装置２を用いて、左側のワークストッカ４Ｌの位置Ａ１まで、ワーク配置部Ｂ１の未加工のワークＷ３を取りに行く。
【００４４】
このように、通常モードにおいては、左側のワークストッカ４Ｌ→マシニングセンタ３→右側のワークストッカ４Ｒの順に、ワークＷ１〜Ｗ３が搬送される。また、左側のワークストッカ４Ｌの位置Ａ１（供給位置）には、順次、ワーク満載のワーク配置部Ｂ１〜Ｂ１０が配置される。また、右側のワークストッカ４Ｒの位置Ａ１（排出位置）には、順次、空のワーク配置部Ｂ１〜Ｂ１０が配置される。
【００４５】
＜自動モード＞
次に、本実施形態のワーク加工システムの自動モードの動きについて説明する。図１１に、本実施形態のワーク加工システムの自動モード第六段階の前面図を示す。すなわち、図１１は、図１０に対応している。なお、図１１においては、加工済みのワークＷ１〜Ｗ３にハッチングを施す。
【００４６】
自動モードは、例えば、ワーク加工システム１から作業者が離れる場合に実行される。自動モードにおいては、まず、左側のワークストッカ４Ｌ→マシニングセンタ３→再び左側のワークストッカ４Ｌの順に、ワークＷ１〜Ｗ３が搬送される。続いて、右側のワークストッカ４Ｒ→マシニングセンタ３→再び右側のワークストッカ４Ｒの順に、ワークＷ１〜Ｗ３が搬送される。
【００４７】
ワークＷ１〜Ｗ３の加工前において、左右両側のワークストッカ４Ｌ、４Ｒには、共に未加工のワークＷ１〜Ｗ３が配置されている。具体的には、図１〜図３に示すように、左右両側のワークストッカ４Ｌ、４Ｒ共に、位置Ａ１〜Ａ９に配置されているワーク配置部Ｂ１〜Ｂ９には、未加工のワークＷ１〜Ｗ３が満載されている。一方、位置Ａ１０に配置されているワーク配置部Ｂ１０は、空である。
【００４８】
作業者は、図４に示す入力装置３４を介して、制御装置３３に、自動モードを実行する旨の指示を出す。制御装置３３は、通常モード同様に、図５〜図９に示すように、左側のワークストッカ４Ｌからマシニングセンタ３に、未加工のワークＷ１を搬入する。また、マシニングセンタ３により、未加工のワークＷ１に加工を施す。また、左側のワークストッカ４Ｌからマシニングセンタ３に、未加工のワークＷ２を搬入する。
【００４９】
通常モードと自動モードとでは、加工済みのワークＷ１の搬出先が相違している。すなわち、通常モードにおいては、図１０に示すように、マシニングセンタ３から右側のワークストッカ４Ｒに、加工済みのワークＷ１を搬出する。これに対して、自動モードにおいては、図１１に示すように、マシニングセンタ３から左側のワークストッカ４Ｌに、加工済みのワークＷ１を搬出する。
【００５０】
具体的には、まず、制御装置３３は、ワークＷ２の加工と並行して、ワーク搬送装置２のロボット走行用モータ２５、ロボットアーム上下軸モータ２４、ロボットチャック旋回用モータ２６を適宜駆動する。そして、図１１に矢印Ｙ１５〜Ｙ１７で示すように、ロボットチャック２０３を、左側のワークストッカ４Ｌの位置Ａ１の真上まで移動させる。
【００５１】
次に、制御装置３３は、図３、図４に示すように、左側のワークストッカ４Ｌの移動装置４７の移動用モータ４７２を駆動する。そして、図３に示す空のワーク配置部Ｂ１０を、位置Ａ１０から位置Ａ１まで、１ピッチ分だけ移動させる。なお、この時点で、ワーク配置部Ｂ１には、未加工のワークＷ３が残っている。ワーク配置部Ｂ１０の移動に伴って、ワーク配置部Ｂ１は、位置Ａ１から位置Ａ２まで、移動する。
【００５２】
次に、制御装置３３は、左側のワークストッカ４Ｌの昇降装置４６のシリンダ４６０を駆動する。そして、図１１に矢印１８で示すように、ワーク配置部Ｂ１の昇降板４２を、所定の高度まで、持ち上げる。制御装置３３は、ロボットチャック２０３により、加工済みのワークＷ１を昇降板４２の上面に載置する。
【００５３】
それから、制御装置３３は、左側のワークストッカ４Ｌの移動装置４７の移動用モータ４７２を再び駆動する。そして、図３に示すワーク配置部Ｂ１（未加工のワークＷ３が搭載されている）を、位置Ａ２から位置Ａ１まで、復動させる。ワーク配置部Ｂ１の復動に伴って、ワーク配置部Ｂ１０（加工済みのワークＷ１が搭載されている）は、位置Ａ１から位置Ａ１０まで、復動する。その後、制御装置３３は、図７に示すように、ワーク搬送装置２を用いて、左側のワークストッカ４Ｌの位置Ａ１まで、ワーク配置部Ｂ１の未加工のワークＷ３を取りに行く。
【００５４】
このように、自動モードにおいては、まず、左側のワークストッカ４Ｌ→マシニングセンタ３→左側のワークストッカ４Ｌの順に、ワークＷ１〜Ｗ３が搬送される。次に、右側のワークストッカ４Ｒ→マシニングセンタ３→右側のワークストッカ４Ｒの順に、ワークＷ１〜Ｗ３が搬送される。
【００５５】
図１２に、本実施形態のワーク加工システムの自動モードにおける加工模式図を示す。なお、図１２に示すのは、左側のワークストッカ４Ｌの分だけである。また、加工済みのワークが搭載されているワーク配置部Ｂ１〜Ｂ１０にハッチングを施す。また、空のワーク配置部Ｂ１〜Ｂ１０に「×」を施す。また、自動モードは、図１２の上側から下側に向かって、進行する。
【００５６】
図１２に示すように、自動モードの開始時（最上段）においては、ワーク配置部Ｂ１〜Ｂ９に、未加工のワークＷ１〜Ｗ３が配置されている。ワーク配置部Ｂ１０は空である。一方、自動モードの終了時（最下段）においては、ワーク配置部Ｂ１０〜Ｂ８に、加工済みのワークＷ１〜Ｗ３が配置されている。ワーク配置部Ｂ９は空である。
【００５７】
自動モードの進行に伴って、位置Ａ１〜Ａ１０と、ワーク配置部Ｂ１〜Ｂ１０と、の位置関係は、１ピッチずつずれていく。すなわち、ワークＷ１〜Ｗ３の供給−排出位置を有する位置Ａ１には、順次、ワーク配置部Ｂ１〜Ｂ１０が配置される。一方、位置Ａ１の隣りの位置Ａ１０には、順次、空のワーク配置部Ｂ１〜Ｂ１０が配置される。
【００５８】
なお、自動モードにおいては、右側のワークストッカ４ＲのワークＷ１〜Ｗ３についても、左側のワークストッカ４ＬのワークＷ１〜Ｗ３同様に、加工が施される。
【００５９】
＜作用効果＞
次に、本実施形態のワーク加工システムの作用効果について説明する。本実施形態のワーク加工システム１によると、図３に示すように、自動モードにおいて、２台のワークストッカ４Ｌ、４Ｒを、各々、未加工のワークＷ供給用として用いることができる。このため、単一のワークストッカ４Ｌに未加工のワークＷをフルセットした場合と比較して、未加工のワークＷのセット数を増加させることができる。したがって、単一のワークストッカ４Ｌだけを未加工ワークＷ供給用として用いる場合と比較して、自動モードにおけるワークＷの生産数（加工数）を増加させることができる。よって、長時間の無人運転が可能になり、延いてはワークＷの生産性を向上させることができる。
【００６０】
また、自動モードは、作業者がワーク加工システム１から離れる場合に実行される。自動モード完了後、作業者が復帰し通常モードを開始するまでの時間が長い場合（つまり未加工のワークＷを補充するまでの時間が長い場合）、ワーク加工システム１のダウンタイムが長くなってしまう。この点、本実施形態のワーク加工システム１によると、自動モードにおけるワークＷの生産数を増加させることができる。このため、作業者不在に伴うダウンタイムを短くすることができる。
【００６１】
また、本実施形態のワーク加工システム１によると、図１２に示すように、自動モードにおいて、加工済みのワークは、所定のルールに則ったワーク配置部Ｂ１〜Ｂ１０に、各々収容される。このため、加工に伴って、任意のワークが、どのワーク配置部Ｂ１〜Ｂ１０からどのワーク配置部Ｂ１〜Ｂ１０に移動したのか、確認しやすい。すなわち、ワークのトレースが容易である。
【００６２】
また、本実施形態のワーク加工システム１によると、図３に示すように、２台のワークストッカ４Ｌ、４Ｒを、各々、加工済みワークＷ排出用として用いることができる。このため、単一のワークストッカ４Ｒに加工済みのワークＷをフルセットした場合と比較して、加工済みのワークＷのセット数を増加させることができる。したがって、単一のワークストッカ４Ｒだけを加工済みワークＷ排出用として用いる場合と比較して、ワークＷの生産数（加工数）を増加させることができる。よって、ワークＷの生産性が低下しにくい。
【００６３】
また、本実施形態のワーク加工システム１によると、図１２に示すように、ワークＷの加工に伴って、ワークＷを、未加工のワークが配置されているワーク配置部（例えばワーク配置部Ｂ１）から空のワーク配置部（例えばワーク配置部Ｂ１０）に、移し替えることができる。
【００６４】
また、本実施形態のワーク加工システム１によると、図３に示すように、自動モードにおいて、ワークＷの供給−排出位置を有する位置Ａ１と、空のワーク配置部Ｂ１〜Ｂ１０が配置される位置Ａ１０と、が隣り合わせに設定されている。このため、ワークＷの供給、排出に伴うワーク配置部Ｂ１〜Ｂ１０の移動が、１ピッチ分だけで済む。したがって、ワーク配置部Ｂ１〜Ｂ１０の移動に伴うダウンタイムを短くすることができる。
【００６５】
＜その他＞
以上、本発明のワーク加工システムの実施の形態について説明した。しかしながら、実施の形態は上記形態に特に限定されるものではない。当業者が行いうる種々の変形的形態、改良的形態で実施することも可能である。
【００６６】
自動モードにおけるワークＷの搬送方向、加工順序は特に限定しない。上記実施形態においては、図２に示す左側のワークストッカ４Ｌの全てのワークＷの加工が完了してから、右側のワークストッカ４Ｒの全てのワークＷの加工を行った。しかしながら、この逆の順序で、ワークＷの加工を行ってもよい。
【００６７】
また、まず左側のワークストッカ４Ｌの一部（例えば、２７個中の１２個）のワークＷの加工を行い、次に右側のワークストッカ４Ｒの一部（例えば、２７個中の１２個）のワークＷの加工を行い、続いて左側のワークストッカ４Ｌの残部（例えば、２７個中の１５個）のワークＷの加工を行い、最後に右側のワークストッカ４Ｒの残部（例えば、２７個中の１５個）のワークＷの加工を行ってもよい。
【００６８】
また、まず左側のワークストッカ４ＬのワークＷの一部（例えば、内周面）の加工を行い、次に右側のワークストッカ４ＲのワークＷの一部（例えば、内周面）の加工を行い、続いて左側のワークストッカ４ＬのワークＷの残部（例えば、外周面）の加工を行い、最後に右側のワークストッカ４ＲのワークＷの残部（例えば、外周面）の加工を行ってもよい。
【００６９】
また、左側のワークストッカ４Ｌの未加工のワークＷを、加工後に右側のワークストッカ４Ｒに移動させてもよい。また、右側のワークストッカ４Ｒの未加工のワークＷを、加工後に左側のワークストッカ４Ｌに移動させてもよい。この場合、二つのワークストッカ４Ｌ、４Ｒのうち、いずれか片方のワークストッカ４Ｌ、４Ｒだけに、空のワーク配置部Ｂ１〜Ｂ１０を設けておけば、より多くの未加工ワークを準備しておくことができる。
【００７０】
図３に示すワークＷの供給−排出位置は、位置Ａ１以外の位置Ａ２〜Ａ１０に設定してもよい。また、ワークＷの供給位置と排出位置とが別々であってもよい。図３に示す空のワーク配置部Ｂ１０の位置は、位置Ａ１０以外の位置Ａ１〜Ａ９に設定してもよい。また、空のワーク配置部Ｂ１０を複数設定してもよい。
【００７１】
また、上記実施形態においては、図３に示すように、自動モード開始時において、空のワーク配置部Ｂ１０に、一つもワークが配置されていない。しかしながら、管理上、自動モード終了後にワークストッカ４Ｌ、４Ｒに未加工のワークが残っていてもよい場合は、自動モード開始時において、全てのワークストッカ４Ｌ、４Ｒのワーク配置部Ｂ１〜Ｂ１０に、未加工のワークをフルセットしておいてもよい。すなわち、自動モード開始時（ワークの加工前）における、ワークストッカ４Ｌ、４Ｒにセットする未加工のワークの総数は特に限定しない。単一のワークストッカ４Ｌ、４Ｒにセット可能なワークの総数よりも多くのワークをワークストッカ４Ｌ、４Ｒにセットし自動モードを実行することにより、ワークの生産数（加工数）を増加させることができる。
【００７２】
上記実施形態においては、ワーク搬送装置２としてガントリローダを用いたが、他のタイプのローダを用いてもよい。搬送ロボット２０の構成は特に限定しない。図１に示すＹ軸伸縮アーム２０１の代わりに、前後方向に揺動するスイングアームを配置してもよい。工作機械の種類は特に限定しない。マシニングセンタ３の代わりに、旋盤、ボール盤、フライス盤、ターニングセンタなどを配置してもよい。
【図１】
2014188600.tif 000003
【図２】
2014188600.tif 000004
【図３】
2014188600.tif 000005
【図４】
2014188600.tif 000006
【図５】
2014188600.tif 000007
【図６】
2014188600.tif 000008
【図７】
2014188600.tif 000009
【図８】
2014188600.tif 000010
【図９】
2014188600.tif 000011
【図１０】
2014188600.tif 000012
【図１１】
2014188600.tif 000013
【図１２】
2014188600.tif 000014
【国際調査報告】
2014188600.tif 000015
2014188600.tif 000016